(57)【要約】      （修正有）【課題】打球位置がずれた場合の打球方向を目標方向に近づける修正が可能であって、その他の打球時に大きな影響を与えないパタークラブヘッドの提供である。【解決手段】パタークラブのアドレス状態における表現で、ヘッドのフェース面１０Ｆには、上に凸な曲線の凹凸条２０が複数条形成されており、ヘッドのスィートスポットを通る鉛直線上では前記各凹凸条の接線が概ね水平であり、前記鉛直線からトウ１０Ｔ方向及びヒール１０Ｈ方向に離隔するにつれ、前記各凹凸条の接線は水平に対する傾斜角度を大きくし、前記各凹凸条の接線の傾斜角度は、前記鉛直線からトウ方向に２０ｍｍの位置と該鉛直線との間領域と、前記鉛直線からヒール方向に２０ｍｍの位置と該鉛直線との間領域とにおいて、夫々、４０度以下であるよう構成する。【選択図】図１
2009285408.tif 000002
【特許請求の範囲】
【請求項１】
パタークラブのアドレス状態における表現で、
ヘッドのフェース面には、上に凸な曲線の凹凸条が複数条形成されており、
ヘッドのスィートスポットを通る鉛直線上では前記各凹凸条の接線が概ね水平であり、前記鉛直線からトウ方向及びヒール方向に離隔するにつれ、前記各凹凸条の接線は水平に対する傾斜角度を大きくし、
前記各凹凸条の接線の傾斜角度は、前記鉛直線からトウ方向に２０ｍｍの位置と該鉛直線との間領域と、前記鉛直線からヒール方向に２０ｍｍの位置と該鉛直線との間領域とにおいて、夫々、４０度以下である
ことを特徴とするパタークラブヘッド。
【請求項２】
前記各接線と直交する方向の摩擦抵抗は、上方向又は斜め上方向に向かう上方抵抗値とその逆方向に向かう下方抵抗値とを異ならせている請求項１記載のパタークラブヘッド。
【請求項３】
前記上方抵抗値と下方抵抗値とは２割以上の差を有する請求項２記載のパタークラブヘッド。
【請求項４】
前記凹凸条は、その凸条が、該凹凸条の曲率中心位置の側に隣接した凹条の側に突出した先部を有している請求項１〜３記載のパタークラブヘッド。
【請求項５】
前記凹凸条はミーリング加工によって形成されており、各凹凸条の曲率直径は、ヘッドのトウ・ヒール方向全長よりも大きい請求項１〜４記載のパタークラブヘッド。
【発明の詳細な説明】
【技術分野】
【０００１】
本発明はパタークラブのヘッドに関する。
【背景技術】
【０００２】
パタークラブによってゴルフボールを打撃、即ち、パッティング操作する際、必ずしもスィートスポットで打撃できるとは限らず、トウ・ヒール方向に打撃位置のずれることがある。例えばトウ方向にずれると、一般にヘッド先（トウ側）が後方に位置して開き、打撃した際、打球は目標方向とは異なって、トウ寄りの方向（スライス方向）に転がってしまう。こうした打球方向のずれを防止するため、フェース面上に凹凸条を設けてフェース面上のボール移動に対して摩擦抵抗を付与することが考えられる。こうしたフェース面上の凹凸条形成という観点からは、下記特許文献にパタークラブのヘッドフェース面に平行直線や同心円状のパターンの微小隆起部を設けることが開示されている。このパターンによってパッティング操作時のボールの回転を調節することが開示されている。
【特許文献１】特開２００８−５０９号公報
【発明の開示】
【発明が解決しようとする課題】
【０００３】
然しながら、本願の目的とする打球方向の修正という観点からは、フェース面上に平行直線の凹凸条や単なる同心円状の凹凸条が必ずしも良いとはいえない。打撃スイングによっては、打球位置がスィートスポットからトウ・ヒール方向にずれる他、上下方向のずれを伴うこともある。こうした打撃の際は、相対的にボールがフェース面に対して傾斜方向に移動する。こうした傾斜方向移動を伴う場合に打球方向を適切に修正したい。
解決しようとする課題は、打球位置がずれた場合の打球方向を目標方向に近づける修正が可能であって、その他の打球時に大きな影響を与えないパタークラブヘッドを提供することである。
【課題を解決するための手段】
【０００４】
第１の発明は、パタークラブのアドレス状態における表現で、ヘッドのフェース面には、上に凸な曲線の凹凸条が複数条形成されており、ヘッドのスィートスポットを通る鉛直線上では前記各凹凸条の接線が概ね水平であり、前記鉛直線からトウ方向及びヒール方向に離隔するにつれ、前記各凹凸条の接線は水平に対する傾斜角度を大きくし、前記各凹凸条の接線の傾斜角度は、前記鉛直線からトウ方向に２０ｍｍの位置と該鉛直線との間領域と、前記鉛直線からヒール方向に２０ｍｍの位置と該鉛直線との間領域とにおいて、夫々、４０度以下であることを特徴とするパタークラブヘッドを提供する。
ここで、凹凸条は連続していなくて途切れ途切れであってもよい。例えば、多数の点や線をライン上に配設したものでもよい。２０ｍｍの意義は、この値がボールの半径程度であり、打球時のずれは、通常、この程度の範囲内でずれると考えられる。
上記接線の傾斜角度は、４０度以下に代え、好ましくは３０度以下であり、更に好ましくは１５度以下がよく、夫々の下限は７度、即ち、７度以上にする。
【０００５】
第２の発明では、前記各接線と直交する方向の摩擦抵抗は、上方向又は斜め上方向に向かう上方抵抗値とその逆方向に向かう下方抵抗値とを異ならせている請求項１記載のパタークラブヘッドを提供する。
第３の発明では、前記上方抵抗値と下方抵抗値とは２割以上の差を有する請求項２記載のパタークラブヘッドを提供する。
【０００６】
第４の発明では、前記凹凸条は、その凸条が、該凹凸条の曲率中心位置の側に隣接した凹条の側に突出した先部を有している請求項１〜３記載のパタークラブヘッドを提供する。
第５の発明では、前記凹凸条はミーリング加工によって形成されており、各凹凸条の曲率直径は、ヘッドのトウ・ヒール方向全長よりも大きい請求項１〜４記載のパタークラブヘッドを提供する。
【発明の効果】
【０００７】
第１の発明では、スィートスポット位置で打撃したゴルフボールは、フェース面に対して直交する前方方向に回転しながら目標に向かって進行するが、スィートスポットを外したトウ・ヒール方向位置で打撃するとフェース面が開く現象が発生するため、特別な工夫がなければボールは開いた方向に移動し、開いた角度に応じた方向に押し出されようとし、これは目標方向からずれた方向となるため、この方向のずれを低減させたい。このため、フェース面に上下方向指向の凹凸条を設けて前記の移動を防止できるが、ボールに対するその摩擦抵抗はボールを水平面内で回転させ、このため打球方向が不安定で定まらず、一般に却って打球し辛くなる。また、水平方向（トウ・ヒール方向）指向の凹凸条を設けたとすると前記トウ・ヒール方向移動に対しては摩擦抵抗力が生じない。従って、両者の中間である傾斜方向指向の凹凸条がよいが、上記水平面内での回転を防止するためには大き過ぎない傾斜角度、即ち、接線角度がせいぜい４０度以下の傾斜となる凹凸条とするのがよい。４０度以上にすれば、水平面内での回転力が強すぎ、ボール進行の方向が不定となりやすいが、４０度以下であれば、水平面内の回転よりも垂直面内での回転が生じ易く、目標方向に向かって進むことができる。これと共に、フェース面が開いている際、理想通りのスイングの水平方向アプローチで打球できる場合以外は、相対的にボールはフェース面上を斜め下又は斜め上に移動する。従って、その斜め移動に対して摩擦抵抗力を付与し、これにより斜め移動を防止し、ひいては理想通りのスイングの水平方向アプローチで打撃した場合に近づけたい。この観点からも傾斜方向の凹凸条がよい。更には、こうした傾斜方向指向の凹凸条を設ける場合に、例えば円弧のような曲線にする場合は、その接線の成す傾斜が曲線上の位置により変化するが、円弧の曲率が大きい場合のように、位置によるその傾斜変化が大きいと、フェース面上の打撃位置の僅かなずれによってボールに及ぼす影響が大きく変化するため、一般には打ち辛いものとなるが、円弧の曲率を小さくする等により小さ目の傾斜角度に設定しておけば、打撃位置による変化が小さく、打ち易い。
【０００８】
第２と第３の発明では、上下の方向によって摩擦抵抗値が異なるため、相対的にボールがフェース面を（斜め）上に移動するように打つ癖のあるゴルファーには上方抵抗値を大きくしたパタークラブヘッドを選択してもらい、（斜め）下に移動する癖の場合は、下方抵抗値を大きくしたものを選択してもらえる、という選択肢を提供できる効果がある。
第４の発明では、ボールが相対的に（斜め）上方向に移動する場合の上方抵抗値を下方抵抗値よりも大きくできる。
【０００９】
第５の発明では、各凹凸条の曲率直径は、ヘッドのトウ・ヒール方向全長よりも大きい、即ち、各凹凸条を大きな円弧で形成しているため、曲率が小さくて緩やかな曲線となり、接線の傾斜角度を小さくできる。また、凹凸条はミーリング加工によって形成するため、凹凸条加工が容易である。
【発明を実施するための最良の形態】
【００１０】
以下、本発明を添付図面を用いて更に詳細に説明する。図１は本発明に係るパタークラブのアドレス状態におけるヘッドの正面図、図２は図１のヘッドの説明図である。ヘッド１０は、その先部であるトウ部１０Ｔ、後部であるヒール部１０Ｈ、打撃面であるフェース面１０Ｆを有しており、その他、ヒール部近くのクラウン部（上面部）にはホーゼル部１２が設けられている。
【００１１】
上記フェース面１０Ｆには上に凸な曲線の凹凸条２０が互いに交差することなく多数本形成されている。ここでの曲線は円弧であり、この例での各円弧凹凸条はミーリング加工によって形成されており、同一半径Ｄ／２を有している。しかし、例えば同心の円弧に形成してもよく、また、曲線は円弧には限らない。また、各円弧凹凸条は、スィートスポットを通る鉛直線Ｌ１の位置における各凹凸条円弧の接線が、トウ・ヒール方向、即ち、概ね水平であるように形成されている。即ち、ミーリング加工における回転工具の中心を、正面視におけるＯ１、Ｏ２（図２）のように、鉛直線Ｌ１の上を移動させて凹凸条を形成している。この凹凸条の円弧直径Ｄは、ヘッドのトウ・ヒール方向長さよりも長く、緩やかな曲線になっている。
【００１２】
また、鉛直線Ｌ１から、トウ、ヒール方向に、夫々、Ｗ＝２０ｍｍずつ離隔した鉛直線Ｌ２，Ｌ２’の間では、凹凸条２０’，２０”等の全ての凹凸条２０は、その接線Ｓ１，Ｓ１’の前記トウ・ヒール方向ライン（水平ライン）に対する傾斜角度θ，θ’が最大でも４０度以下の小さ目の傾斜角度である（０度≦θ≦４０度、０度≧θ’≧−４０度）。鉛直線Ｌ１からの各離隔距離Ｗはボール２２の略半径の大きさである。
【００１３】
図２の傾斜角度θ，θ’の最大が４０度に近い大きさの場合、例えば、３０度〜４０度の場合、上記図２の例のミーリング加工のように同一径の刃具の中心位置を垂直線Ｌ１に沿って移動させ、回転させて凹凸条を１本ずつ削り出したり、またプレス加工によって形成したり等により、図８に示すような形態に凹凸条２０を形成するとよい。即ち、垂直線Ｌ１に沿った方向の間隔Δに対して、該垂直線から側方に離隔した部位の凹凸条間隔δが小さくなるように形成する。こうすることで、スィートスポットからずれた位置で打撃した際に、凹凸条２０がボールに対して付与する摩擦力により生じるボールの水平面内回転の力を小さくすることもできる。
【００１４】
図３はパタークラブの使用状態のヒール側からの端面視図、図４はパタークラブの使用状態説明用平面図である。図３に示すように、ヘッド１０のスイング方向ＳＨに応じたヘッドフェース面１０Ｆによるボール２２の打撃では、円直面内での前後方向回転Ｋ２を生じさせるとボールが目標方向に転がって望ましい。然しながら、打撃位置がスィートスポットを外れ、例えば、トウ部１０Ｔ寄りの位置で打撃することになる際には、図４に示すようにフェース面１０Ｆのトウ側が後方に押された状態にフェース面が開く。
【００１５】
この場合、ボールはフェース面上をトウ方向に流れようとするため、仮にフェース面に鉛直方向に指向した（延伸した）溝等の凹凸条を設けていれば、それのボールへの摩擦抵抗の影響でボールに水平面内回転Ｋ１が生じる。この水平面内の回転が付与されると、ボールは目標方向に対して曲がった方向に進んでしまう。従って、鉛直方向の凹凸条は好ましくない。また、打撃位置がヒール寄りの場合は、フェース面は図４とは逆の方向に傾斜し（閉じ）、鉛直方向の凹凸条が有るとボール２２には水平面内回転Ｋ１’が生じる。これも同様に好ましくない。かといって水平方向指向の凹凸条では、フェース面に沿ったトウ方向やヒール方向へのボール移動に対しては効果が無い。
【００１６】
フェース面が開いた（閉じた）状態では、図４で言えば、ボールは目標方向であるＡの方向ではなく、フェース面に概ね直交するＣ方向に転がり、Ａ方向とは異なる方向となる。これを修正して、Ａ方向に近づいたＢ方向に修正させたい。このため、フェース面上に接線方向が小さな傾斜角度となる曲線状の凹凸条２０を形成している。
【００１７】
図３のヘッドスイング方向ＳＨがボール打撃直前で水平方向であれば、フェース面１０Ｆはボール２２の中心を打撃することができ、ボールを目標方向に転がし易い。しかし、直前のスイング方向が水平ではなくて下斜め方向に向かっていたり、上斜め方向に向かっていたりした状態で打撃することもある。こうした場合は、ボールの中心よりも上側や下側を打撃することになる。図４に示すようにフェース面が開く（或いは閉じる）と共に、スイングが下斜めや上斜めに向かっている状態での打撃では、ボールは相対的にフェース面を斜め上や斜め下の方向に移動しようとし、ボールは目標方向ＡからずれたＣ方向に転がる。このボールの斜め移動に対して本願の小さな傾斜の凹凸条２０が適度な摩擦抵抗力を生み、斜め移動を防止する。この斜め移動防止分だけ、ボールの転がり方向をＣ方向ではなく、目標のＡ方向に近いＢ方向に修正できる。
【００１８】
図５は、図１の矢視線Ｅ−Ｅによるヘッドフェース部の部分拡大断面図である。凸条２０Ａと凹条２０Ｂとが上下方向に交互に配設されている。この例の凸条２０Ａは、その先部が下方に位置する隣接凹条２０Ｂの側に向かって突出傾斜している。ここではこの先部は凸条の横断面形状が三角形であり、その頂点部であるが、凸条の横断面形状を矩形状とし、その一つの角部でもよい。このため、ボールがフェース面の凹凸条曲線の接線に対して直交する方向、即ち、（斜め）上に向かって移動する場合に最大の摩擦抵抗力を呈する。
【００１９】
これと逆である（斜め）下方向にボールが移動する打撃癖のあるゴルファー等を想定する場合は、図５の上側が、実際のヘッドの下側であるように、凸条の先部が図５の例とは逆の上方向に突出傾斜するよう形成するとよい。また、このように（斜め）上下方向で摩擦の差を設ける場合は、２割以上の有意差を設ける。
【００２０】
図６は図５に代わる他の形態例の図であり、凹凸条の横断面形態が図５とは異なる形態によって同様に摩擦力の差を設けている。凸条２０Ａ又は凹条２０Ｂの横断面形状は上下で差の無い二等辺三角形状であるが、その２辺の内の下側の辺に、ヘッド本体よりも摩擦係数の大きい被膜３０、例えば、ゴム系塗料の膜や滑り止め粒子を混入させた塗料膜等を塗布形成する。或いは、表面の摩擦の大きなフィルムを貼着してもよい。こうした被膜を上側の辺に設ければ、（斜め）上下方向の抵抗力の大小方向が逆になる。
【００２１】
図７は、図５の凹凸条断面形状の変形例の図であり、凸条２０Ａの先端部が鋭角ではなく平面状の頭部ＡＴを有している例であり、この場合、凹部２０Ｂの形状はこの図７と異なり、図５のように直線で区画された形態でもよい。また、図７のように、凸部２０Ａの平面部ＡＴと、該平面部ＡＴに隣接した凹部２０Ｂの面との成す角度Θを９０度又は９０度未満にし、凹部２０Ｂの横断面形状を図７のように曲面状としてもよい。
【産業上の利用可能性】
【００２２】
本発明はパタークラブに利用できる。
【図面の簡単な説明】
【００２３】
【図１】図１は本発明に係るパタークラブアドレス状態のヘッドの正面図である。
【図２】図２は図１のヘッドの説明図である。
【図３】図３はパタークラブの使用状態の端面視図である。
【図４】図４はパタークラブの使用状態説明用平面図である。
【図５】図５は図１の矢視線Ｅ−Ｅによる表面部の部分拡大断面図である。
【図６】図６は図５に代わる形態例の図である。
【図７】図７は図５に示す凹凸条断面形状の変形例図である。
【図８】図８は凹凸条形態の例示説明図である。
【符号の説明】
【００２４】
１０                    ヘッド
１０Ｆ                  フェース面
２０                    凹凸条
２２                    ボール
θ，θ’                接線のなす傾斜角度
【図１】
2009285408.tif 000003
【図２】
2009285408.tif 000004
【図３】
2009285408.tif 000005
【図４】
2009285408.tif 000006
【図５】
2009285408.tif 000007
【図６】
2009285408.tif 000008
【図７】
2009285408.tif 000009
【図８】
2009285408.tif 000010